(57)【要約】【課題】多用途であって、かつ、取付面からの取り外しが容易な器具取付座を提供する。【解決手段】ブロック体１の裏面側に付設した添着シート２により取付面に固定し、器具を嵌合させて取付面に取り付ける器具取付座において、前記ブロック体１に、端面で開口した工具挿入部６を設けて、ドライバー等の工具Ｔを差し込めるようにする。また、ブロック体１の工具挿入部６の両側に、開口端から切込７を入れて、工具挿入部６を拡大するようなブロック体１の撓みを許容することにより、工具Ｔを工具挿入部６に深く差し込んで、容易に引き起こせるようにする。【選択図】図１
2008142328.tif 000002
【特許請求の範囲】
【請求項１】
ブロック体(1)の裏面側に付設した添着シート(2)により取付面に固定し、器具を嵌合させて取付面に取り付ける器具取付座において、
前記ブロック体(1)に、端面で開口した工具挿入部(6)を設けたことを特徴とする器具取付座。
【請求項２】
請求項１に記載の器具取付座において、前記ブロック体(1)の工具挿入部(6)の両側に、開口端から切込(7)を入れたことを特徴とする器具取付座。
【発明の詳細な説明】
【技術分野】
【０００１】
この発明は、吊下フックや磁石吸着基板等の器具を壁面等の取付面に取り付けるための取付座に関するものである。
【背景技術】
【０００２】
一般に、平板状の本体に鉤部を備え、本体の裏面側に付設した添着シートにより壁面や柱等の取付面に固定する吊下フックが使用されている（下記特許文献１参照）。
【０００３】
また、釘により取付面に固定して、吊下フック等の器具を嵌合させ、この器具を間接的に取付面に取り付ける取付座も知られている（下記特許文献２参照）。
【０００４】
【特許文献１】特開２００２−２０９７１４号公報
【特許文献２】特開２００６−２２３４２１号公報
【発明の開示】
【発明が解決しようとする課題】
【０００５】
しかしながら、上記のような吊下フックでは、取付面から取り外す際、添着シートの接着力が強ければ、手で引き剥がしにくく、ドライバー等の工具で抉るように引き起こそうとしても、工具を挿入する部分がないという問題がある。
【０００６】
また、上記のような取付座では、吊下フックだけでなく、様々な器具を取り付けられるが、取付面から取り外す際における釘の引き抜きに手間がかかるという問題がある。
【０００７】
そこで、この発明は、多用途であって、かつ、取付面からの取り外しが容易な器具取付座を提供することを課題とする。
【課題を解決するための手段】
【０００８】
上記課題を解決するため、この発明は、ブロック体の裏面側に付設した添着シートにより取付面に固定し、器具を嵌合させて取付面に取り付ける器具取付座において、前記ブロック体に、端面で開口した工具挿入部を設けて、ドライバー等の工具を差し込めるようにしたのである。
【０００９】
また、前記ブロック体の工具挿入部の両側に、開口端から切込を入れて、工具挿入部の拡大する撓みを許容し、工具の挿入及び引き起こしを容易にしたのである。
【発明の効果】
【００１０】
この取付座は、ドライバー等の工具を工具挿入部の開口から差し込んで、抉るように引き起こすことにより、取付面から添着シートを剥離させ、容易に取り外すことができる。
【００１１】
そして、この取付座には、磁石取付式の器具を磁石の付かない取付面に取り付ける磁石吸着基板や、ハンガーパイプの支持部等、様々な器具を嵌合させて、これらの器具を取付面に取り付けることができる。
【発明を実施するための最良の形態】
【００１２】
以下、この発明の実施形態を添付図面に基づいて説明する。
【００１３】
図１及び図２に示すように、この取付座Ｂは、ブロック体１の裏面側に接着剤を介して添着シート２を付設し、添着シート２の接着力により壁面や柱等の取付面に固定し、嵌込式の吊下フックＨを嵌合させて取付面に取り付けるものである。
【００１４】
ブロック体１は、プラスチックの成型品であり、ブロック体１の両側には、鉤溝状の挿入部３が上部及び下部に設けられると共に、係止片４が中間部及び下部に設けられ、係止片４の先端部には突起５が設けられている。
【００１５】
また、ブロック体１には、下端面で開口し、上端が中間部分の凹所に連通した工具挿入部６が設けられ、裏側の壁部１ａに、工具挿入部６の両側において、添着シート２に接する外面から内面の手前まで三角形断面の切込７が入れられている。
【００１６】
添着シート２は、吸盤状分子構造をもつ発泡アクリルフォームであり、自己吸着性及びクッション性を有し、取付座Ｂを取付面に押し付けて固定するものであり、剥がしても取付面に剥がし跡が残らないようになっている。
【００１７】
一方、吊下フックＨは、台部１０に鉤部１１が設けられたものであり、台部１０の裏側凹所の両側面には、ブロック体１の挿入部３に対応した係止部１２と、係止片４の突起５に対応した溝１３が設けられている。
【００１８】
いま、図２に示すように、この取付座Ｂを取付面Ｗに取り付ける際には、ブロック体１を取付面Ｗに押し付けて、添着シート２と取付面Ｗとの間の空気を追い出し、添着シート２を取付面Ｗに密着させる。
【００１９】
そして、図１及び図３に示すように、吊下フックＨの台部１０を取付座Ｂに被せるように嵌めて、係止部１２を挿入部３の開口部分に挿入し、吊下フックＨを下方へスライドさせると、係止部１２がブロック体１の両側に係合すると共に、係止片４の弾性変形及び復元により突起５が溝１３に係合して、吊下フックＨが取付座Ｂに固定される。
【００２０】
この状態では、工具挿入部６の開口を有する取付座Ｂは、吊下フックＨの台部１０に覆われるので、美観が損なわれることがない。
【００２１】
一方、この吊下フックＨを取付面Ｗから取り外すには、吊下フックＨを上方へスライドさせて、取付座Ｂから取り外し、図４に示すように、ドライバー等の工具Ｔを工具挿入部６の下端の開口から差し込んで、抉るように引き起こす。
【００２２】
これにより、取付面Ｗから添着シート２を剥離させ、添着シート２と取付面Ｗとの間に離反部から順次空気を侵入させることができるので、取付面Ｗから取付座Ｂを容易に取り外すことができる。
【００２３】
このとき、工具挿入部６への工具Ｔの差し込みに伴い、切込７の位置で裏側の壁部１ａが破断し、表側の壁部１ｂが裏側の壁部１ａから離反するように撓み、工具挿入部６が拡大するので、工具Ｔを工具挿入部６に深く差し込むことができ、梃子の原理により、効率よく力を作用させて、工具Ｔを引き起こすことができる。
【００２４】
また、裏側の壁部１ａの存在により、支点となる工具Ｔの先端部が添着シート２を突き破って取付面Ｗを傷つけることもない。
【００２５】
また、添着シート２のブロック体１からのはみ出し部分を無理に引っ張って取付面Ｗから添着シート２を剥離させるもののように、取付座Ｂが勢いよく飛び跳ねたりすることがなく、安全に取り外し作業を行うことができる。
【００２６】
なお、上記のような取付座Ｂは、図５に示すように、磁石取付式の吊下フックＭを、磁石吸着基板Ｓを介在させることにより、磁石の付かない取付面に取り付ける場合にも使用できる。この磁石吸着基板Ｓは、プラスチック製の枠体１４に強磁性体である鉄板１５を嵌め込み、枠体１４の裏側の凹所に取付座Ｂを嵌合させるようにしたものであり、吊下フックＭは、台部１０の裏側に強力な磁石１６を嵌め込んだものとされている。
【００２７】
また、図６に示すように、複数の取付座Ｂを使用して、ハンガーパイプＰのような器具を取付面に取り付ける場合にも使用できる。この場合、ハンガーパイプＰの両端の支持部１７を、それぞれ間隔をおいて取付面に固定した取付座Ｂに嵌合させる。このようにハンガーパイプＰを取り付けると、そのパイプに引掛式の吊下フック１８を引っ掛けたり、タオル等を直接掛けたりすることができる。
【００２８】
ところで、上記各実施形態では、添着シート２として、吸着式のものを例示したが、添着シート２が両面に接着剤を塗布した接着式のものであっても、同様の構成により、取付面Ｗから容易に取り外すことができる。この場合、添着シート２の接着力は、ブロック体１側が取付面Ｗ側よりも強くなるようにしておくとよい。
【図面の簡単な説明】
【００２９】
【図１】この発明に係る器具取付座による吊下フックの取付例を示す斜視図
【図２】同上の取付座の取付面への固定状態を示す横断平面図
【図３】同上の吊下フックの取付状態を示す一部切欠側面図
【図４】同上の取付座の取り外し過程を示す一部切欠側面図
【図５】磁石吸着基板の取付例を示す斜視図
【図６】ハンガーパイプの取付例を示す斜視図
【符号の説明】
【００３０】
Ｂ  取付座
Ｈ  嵌込式の吊下フック
Ｓ  磁石吸着基板
Ｍ  磁石取付式の吊下フック
Ｐ  ハンガーパイプ
Ｗ  取付面
１  ブロック体
２  添着シート
３  挿入部
４  係止片
５  突起
６  工具挿入部
７  切込
１０  台部
１１  鉤部
１２  係止部
１３  溝
１４  枠体
１５  鉄板
１６  磁石
１７  支持部
１８  引掛式の吊下フック
【図１】
2008142328.tif 000003
【図２】
2008142328.tif 000004
【図３】
2008142328.tif 000005
【図４】
2008142328.tif 000006
【図５】
2008142328.tif 000007
【図６】
2008142328.tif 000008